【手続補正書】
【提出日】令和2年5月4日(2020.5.4)
【手続補正１】
【補正対象書類名】特許請求の範囲
【補正対象項目名】全文
【補正方法】変更
【補正の内容】
【特許請求の範囲】
【請求項１】
第１ブロックを含む前・背両面で自由に組立可能な多次元の積み木玩具の構築キットであって、
前記第１ブロックの正面に単一、単列、両列、又は複数列の第１連結短柱（ｒ）を有し、前記第１ブロックの反面に凹面を有し、前記凹面に複数列の突起した第２連結短柱（ｔ）を有し、前記凹面の側壁に複数のリブを有し、前記第２連結短柱（ｔ）は、
列において、前記正面第１連結短柱（ｒ）と同じ列、及び隣接する両列を等分する中間に均一に分布し、
行において、前記正面第１連結短柱（ｒ）と同じ列では各々の前記第２連結短柱（ｔ）と前記第１連結短柱（ｒ）とが交互に配列されるとともに、２つの前記第１連結短柱（ｒ）を等分する中間に位置するように分布し、これによって、このような列には、前記第２連結短柱（ｔ）の数は、前記第１連結短柱（ｒ）の数よりも１つ少なく、
隣接する両列の前記第１連結短柱（ｒ）を等分する中間位置にある列において、各前記第２連結短柱（ｔ）は、それと同じ行における２つの前記第１連結短柱（ｒ）を等分する中間位置にあり、これによって、このような列には、前記第２連結短柱（ｔ）の数は、前記第１連結短柱（ｒ）の数と同じであり、
或いは、
前記第１ブロックの正面に単一の前記第１連結短柱（ｒ）を有し、前記第１ブロックの背面に凹面を有し、前記凹面の側壁に複数のリブを有し、且つ前記凹面に連結短柱がない、
ことを特徴とする前・背両面で自由に組立可能な多次元の積み木玩具の構築キット。
【請求項２】
第２ブロックをさらに含み、
前記第２ブロックの正面に単一、単列、両列、又は複数列の第３連結短柱（ｓ）を有し、前記第３連結短柱（ｓ）は、前記第２ブロックを貫通する円筒状であり、
前記第３連結短柱（ｓ）の数は、１、２、３又は任意の数字であることを特徴とする、請求項１に記載の前・背両面で自由に組立可能な多次元の積み木玩具の構築キット。
【請求項３】
前記第２ブロックの背面に凹面を有し、前記凹面に突起した第４連結短柱（ｕ）を有し、前記凹面の側壁に前記第４連結短柱（ｕ）に対向する複数のリブを有し、
前記第２ブロックの背面の第４連結短柱（ｕ）は、
列において、隣接する両列の正面第３連結短柱（ｓ）を等分する中間に位置し、
行において、各第４連結短柱（ｕ）が２つの前記第３連結短柱（ｓ）を等分する中間に位置するように分布し、
これによって、前記第４連結短柱（ｕ）の数は、前記第３連結短柱（ｓ）の数よりも１つ少ないことを特徴とする、請求項２に記載の前・背両面で自由に組立可能な多次元の積み木玩具の構築キット。
【請求項４】
前記第２連結短柱（ｔ）、前記第３連結短柱（ｓ）及び前記第４連結短柱（ｕ）の直径は同じであり、
前記第２連結短柱（ｔ）、前記第３連結短柱（ｓ）及び前記第４連結短柱（ｕ）の直径と、前記第２ブロックの幅との関係は、
連結短柱の直径ｄ（ｓ）＝Ｘ／２−ｇ＊２−ｈ＊２であり、
ここで、Ｘは前記第２ブロックの幅であり、ｇは前記第２ブロックの側壁の厚さであり、ｈは前記第２ブロックの側壁のリブの厚さであることを特徴とする、請求項３に記載の前・背両面で自由に組立可能な多次元の積み木玩具の構築キット。
【請求項５】
前記第２ブロックの幅は２０ｍｍであり、前記第２ブロックの側壁の厚さｇは１．２ｍｍであり、前記第２ブロックの側壁のリブの厚さｈは０．２５ｍｍであり、
前記第２連結短柱（ｔ）、前記第３連結短柱（ｓ）及び前記第４連結短柱（ｕ）の直径ｄ（ｓ）＝ｄ（ｔ）＝ｄ（ｕ）＝７．１ｍｍであることを特徴とする、請求項４に記載の前・背両面で自由に組立可能な多次元の積み木玩具の構築キット。
【請求項６】
前記第１ブロックの前記第１連結短柱（ｒ）の直径ｄ（ｒ）＝隣接する２つの前記第２連結短柱（ｔ）の間の距離ｆ−ｄ（ｔ）であり、
前記第１連結短柱（ｒ）は、前記第１ブロックを貫通する円筒状であることを特徴とする、請求項５に記載の前・背両面で自由に組立可能な多次元の積み木玩具の構築キット。
【請求項７】
前記第１連結短柱（ｒ）の直径ｄ（ｒ）＝隣接する２つの前記第２連結短柱（ｔ）の間の距離ｆ−ｄ（ｔ）＝２０−７．１＝１２．９ｍｍであることを特徴とする、請求項６に記載の前・背両面で自由に組立可能な多次元の積み木玩具の構築キット。
【請求項８】
前記第１連結短柱（ｒ）、前記第２連結短柱（ｔ）、前記第３連結短柱（ｓ）及び前記第４連結短柱（ｕ）の直径は、計算値よりも０．０１〜０．１０ｍｍ大きいことを特徴とする、請求項７に記載の前・背両面で自由に組立可能な多次元の積み木玩具の構築キット。
【請求項９】
柱先端部が前記円筒状の連結短柱に締まり嵌めされる部品をさらに含むことを特徴とする、請求項８に記載の前・背両面で自由に組立可能な多次元の積み木玩具の構築キット。
【請求項１０】
全ての前記ブロックの縁はいずれも丸コーナであり、
前記ブロックの連結柱と縁の丸コーナとは同じ円心を有し、
複数の単位ブロックは、統一でマッチングした曲面が形成されるように組み立てられることを特徴とする、請求項９に記載の前・背両面で自由に組立可能な多次元の積み木玩具の構築キット。
【手続補正２】
【補正対象書類名】明細書
【補正対象項目名】０００６
【補正方法】変更
【補正の内容】
【０００６】
本発明によれば、第１ブロックを含む前・背両面で自由に組立可能な多次元の積み木玩具の構築キットであって、
前記第１ブロックの正面に単一、単列、両列、又は複数列の第１連結短柱（ｒ）を有し、前記第１ブロックの反面に凹面を有し、前記凹面に複数列の突起した第２連結短柱（ｔ）を有し、前記凹面の側壁に複数のリブを有し、前記第２連結短柱（ｔ）は、
列において、前記正面第１連結短柱（ｒ）と同じ列、及び隣接する両列を等分する中間に均一に分布し、
行において、前記正面第１連結短柱（ｒ）と同じ列では各々の前記第２連結短柱（ｔ）と前記第１連結短柱（ｒ）とが交互に配列されるとともに、２つの前記第１連結短柱（ｒ）を等分する中間に位置するように分布し、これによって、このような列には、前記第２連結短柱（ｔ）の数は、前記第１連結短柱（ｒ）の数よりも１つ少なく、
隣接する両列の前記第１連結短柱（ｒ）を等分する中間位置にある列において、各前記第２連結短柱（ｔ）は、それと同じ行における２つの前記第１連結短柱（ｒ）を等分する中間位置にあり、これによって、このような列には、前記第２連結短柱（ｔ）の数は、前記第１連結短柱（ｒ）の数と同じであり、
或いは、
前記第１ブロックの第２の態様において、前記第１ブロックの正面に単一の前記第１連結短柱（ｒ）を有し、前記第１ブロックの背面に凹面を有し、前記凹面の側壁に複数のリブを有し、好ましくは、前記凹面に連結短柱、例えば、第２連結短柱（ｔ）を有しない、
前・背両面で自由に組立可能な多次元の積み木玩具の構築キットが提供される。
【手続補正３】
【補正対象書類名】明細書
【補正対象項目名】００４５
【補正方法】変更
【補正の内容】
【００４５】
五、Ｃ／ＤブロックとＬブロックとの連結
Ｌブロックは、Ｃブロックの一実施例であり、その正面に１つのみの連結短柱があり、且つ連結短柱の直径がｒと一致する。これによって、このＬブロックは、Ｃ／Ｄブロックの背面の任意位置と連結することができるため、非常に多くの変化及び設計空間が提供される（図１９、２１）。さらに、Ｌブロックは、Ｃブロックの一実施例であり、その正面に１つのみの連結短柱があり、且つＬブロックの背面の凹面には第２連結短柱（ｔ）がないが、この凹面の側壁に複数のリブが設けられており、例えば、図１９に示すように、リブの数は４本であってもよい。Ｌブロックの背面に第２連結短柱（ｔ）がないが、Ｌブロックの背面の凹面に設けられたリブによって、図２１に示すように、Ｌブロックの背面は、他の第１ブロック（例えば、ブロックＣ）の正面に連結することができる。